(57)【要約】      （修正有）【課題】将来の夢や目標を明確にイメージしやすく、将来の夢や目標を適切に管理することができる情報処理装置を提供する。【解決手段】情報処理装置１は、タッチパネル２と、記憶手段３と、タッチパネル２および記憶手段３を制御することによって情報処理を実行する制御手段４とを備える。制御手段４は、タッチパネル２を介して使用者に選択された将来の夢や目標をイメージできる画像情報を記憶手段３に記憶させる画像情報選択部４１と、画像情報に関連付ける日時情報を、タッチパネル２を介して使用者に設定させるとともに、この日時情報を画像情報に関連付けて記憶手段３に記憶させる日時情報設定部４２と、画像情報選択部４１を介して選択された画像情報に基づく画像をタッチパネル２に表示させる表示制御部４６を備えている。【選択図】図１
0003184157.tif 000002
【実用新案登録請求の範囲】
【請求項１】
情報を記憶する記憶手段と、情報に基づく画像を表示する表示手段と、使用者の入力操作を受け付ける入力手段と、前記記憶手段、前記表示手段、および前記入力手段を制御することによって情報処理を実行する制御手段とを備える情報処理装置であって、
前記制御手段は、
前記入力手段を介して使用者に選択された少なくとも１つの画像情報を前記記憶手段に記憶させる画像情報選択部と、
前記画像情報に関連付ける日時情報を、前記入力手段を介して使用者に設定させるとともに、当該日時情報を前記画像情報に関連付けて前記記憶手段に記憶させる日時情報設定部と、
前記画像情報に基づく画像を前記表示手段に表示させる表示制御部とを備えることを特徴とする情報処理装置。
【請求項２】
請求項１に記載された情報処理装置において、
前記制御手段は、
前記画像情報に関連付ける少なくとも１つの作業情報を、前記入力手段を介して使用者に設定させるとともに、当該作業情報を前記画像情報に関連付けて前記記憶手段に記憶させる作業情報設定部を備え、
前記表示制御部は、前記作業情報に基づく画像を前記表示手段に表示させることを特徴とする情報処理装置。
【請求項３】
請求項２に記載された情報処理装置において、
前記作業情報に関連付ける作業日時情報を、前記入力手段を介して使用者に設定させるとともに、当該作業日時情報を前記作業情報に関連付けて前記記憶手段に記憶させる作業日時情報設定部と、
前記画像情報に関連付けられた前記作業情報のうち、現在日時に最も近い未来の前記作業日時情報に関連付けられた前記作業情報を検出する検出部とを備え、
前記表示制御部は、前記検出部にて検出された前記作業情報に基づく画像を前記表示手段に表示させることを特徴とする情報処理装置。
【請求項４】
請求項１から請求項３のいずれかに記載された情報処理装置において、
前記表示制御部は、前記日時情報に基づく画像を前記表示手段に表示させることを特徴とする情報処理装置。
【考案の詳細な説明】
【技術分野】
【０００１】
本考案は、情報処理装置に関する。
【背景技術】
【０００２】
従来、情報を記憶する記憶手段と、情報に基づく画像を表示する表示手段と、使用者の入力操作を受け付ける入力手段と、記憶手段、表示手段、および入力手段を制御することによって情報処理を実行する制御手段とを備える情報処理装置が知られている。このような情報処理装置としては、一般的なＰＣ（Personal Computer）の他、スマートフォンやタブレットなどの携帯型情報端末を例示することができる。
【０００３】
また、このような情報処理装置では、一般的に、日時と、タスクやＴｏＤｏなどの作業の予定とを関連付けて記憶しておくことによって、使用者のスケジュールを管理する情報処理（アプリケーション）を実行することができる。
例えば、特許文献１に記載されたスケジュール管理装置（情報処理装置）では、作業の予定と、その開始日時とを関連付けて記憶しておくことによって、使用者のスケジュールを管理している。具体的には、使用者は、開始日時を選択し、この開始日時に関連付けて作業の予定を入力することによって、スケジュールを作成することができる。そして、スケジュール管理装置は、そのスケジュールを参照し、現在の日時が作業の予定の開始日時に至ったときに、その作業の予定を使用者に通知する。
【０００４】
ところで、自身の将来の夢や目標を明確にイメージし、それを実現するために、将来の夢や目標を達成すべき日時や、将来の夢や目標を達成するために自身の成すべきタスクやＴｏＤｏなどの作業の予定を管理したいという要望が存在している。
【先行技術文献】
【特許文献】
【０００５】
【特許文献１】特開２０１２−９４００７号公報
【考案の概要】
【考案が解決しようとする課題】
【０００６】
しかしながら、特許文献１に記載されたスケジュール管理装置では、使用者は、開始日時を選択し、この開始日時に関連付けて作業の予定を入力することによって、日時を主体として構成されたスケジュールを作成することになる。したがって、このようなスケジュール管理装置では、将来の夢や目標を達成すべき日時や、将来の夢や目標を達成するために自身の成すべきタスクやＴｏＤｏなどの作業の予定を入力したとしても、使用者は、日時を主体として構成されたスケジュールを参照することになるので、将来の夢や目標を明確にイメージしにくく、将来の夢や目標を管理するのには適していないという問題がある。
【０００７】
本考案の目的は、将来の夢や目標を明確にイメージしやすく、将来の夢や目標を適切に管理することができる情報処理装置を提供することである。
【課題を解決するための手段】
【０００８】
本考案の情報処理装置は、情報を記憶する記憶手段と、情報に基づく画像を表示する表示手段と、使用者の入力操作を受け付ける入力手段と、記憶手段、表示手段、および入力手段を制御することによって情報処理を実行する制御手段とを備える情報処理装置であって、制御手段は、入力手段を介して使用者に選択された少なくとも１つの画像情報を記憶手段に記憶させる画像情報選択部と、画像情報に関連付ける日時情報を、入力手段を介して使用者に設定させるとともに、この日時情報を画像情報に関連付けて記憶手段に記憶させる日時情報設定部と、画像情報に基づく画像を表示手段に表示させる表示制御部とを備えることを特徴とする。
【０００９】
このような構成によれば、情報処理装置は、画像情報選択部と、日時情報設定部とを備えているので、使用者に選択された画像情報と、使用者に設定された日時情報とを関連付けて記憶手段に記憶させることができる。したがって、使用者は、将来の夢や目標をイメージすることができる画像情報を選択し、この画像情報に関連付けて将来の夢や目標を達成すべき日時を設定することができる。そして、情報処理装置は、記憶手段に記憶された画像情報に基づく画像を表示手段に表示させる表示制御部を備えているので、使用者は、画像を主体として構成されたスケジュールを作成することができる。したがって、本考案によれば、使用者は、画像を主体として構成されたスケジュールを参照することができるので、将来の夢や目標を明確にイメージしやすく、将来の夢や目標を適切に管理することができる。
【００１０】
本考案では、制御手段は、画像情報に関連付ける少なくとも１つの作業情報を、入力手段を介して使用者に設定させるとともに、この作業情報を画像情報に関連付けて記憶手段に記憶させる作業情報設定部を備え、表示制御部は、作業情報に基づく画像を表示手段に表示させることが好ましい。
【００１１】
このような構成によれば、情報処理装置は、作業情報設定部を備えているので、使用者に選択された画像情報と、使用者に設定された作業情報とを関連付けて記憶手段に記憶させることができる。したがって、使用者は、将来の夢や目標をイメージすることができる画像情報を選択し、この画像情報に関連付けて将来の夢や目標を達成するために自身の成すべきタスクやＴｏＤｏなどの作業の予定を設定することができる。そして、情報処理装置は、作業情報に基づく画像を表示手段に表示させる表示制御部を備えているので、使用者は、画像情報に関連付けられた作業の予定を容易に確認することができる。したがって、本考案によれば、将来の夢や目標を更に適切に管理することができる。
【００１２】
本考案では、作業情報に関連付ける作業日時情報を、入力手段を介して使用者に設定させるとともに、この作業日時情報を作業情報に関連付けて記憶手段に記憶させる作業日時情報設定部と、画像情報に関連付けられた作業情報のうち、現在日時に最も近い未来の作業日時情報に関連付けられた作業情報を検出する検出部とを備え、表示制御部は、検出部にて検出された作業情報に基づく画像を表示手段に表示させることが好ましい。
【００１３】
このような構成によれば、情報処理装置は、作業日時情報設定部を備えているので、使用者に設定された作業情報と、使用者に設定された作業日時情報とを関連付けて記憶手段に記憶させることができる。また、情報処理装置は、検出部を備えているので、画像情報に関連付けられた作業情報のうち、現在日時に最も近い未来の作業日時情報に関連付けられた作業情報を検出することができる。そして、情報処理装置は、検出部にて検出された作業情報に基づく画像を表示手段に表示させる表示制御部を備えているので、使用者は、将来の夢や目標を達成するために自身の成すべきタスクやＴｏＤｏなどの作業の予定のうち、次に何を成すべきかを容易に把握することができる。したがって、本考案によれば、将来の夢や目標を更に適切に管理することができる。
【００１４】
本考案では、表示制御部は、日時情報に基づく画像を表示手段に表示させることが好ましい。
【００１５】
このような構成によれば、情報処理装置は、日時情報に基づく画像を表示手段に表示させる表示制御部を備えているので、将来の夢や目標を明確にイメージしやすく、将来の夢や目標を更に適切に管理することができる。
【図面の簡単な説明】
【００１６】
【図１】本考案の一実施形態に係る情報処理装置の構成を示すブロック図
【図２】情報処理装置の外観を示す模式図
【図３】制御手段によって表示される夢編集画面を示す模式図
【図４】制御手段によって表示されるタスクリスト画面を示す模式図
【図５】制御手段によって表示されるタスク編集画面を示す模式図
【図６】制御手段によって表示されるタスク検出画面を示す模式図
【考案を実施するための形態】
【００１７】
以下、本考案の一実施形態を図面に基づいて説明する。
図１は、本考案の一実施形態に係る情報処理装置の構成を示すブロック図である。
情報処理装置１は、図１に示すように、タッチパネル２と、記憶手段３と、タッチパネル２および記憶手段３を制御することによって情報処理を実行する制御手段４とを備えるスマートフォンやタブレットなどの携帯型情報端末である。なお、本考案の情報処理装置は、携帯型情報端末に限らず、一般的なＰＣなどであってもよい。
【００１８】
図２は、情報処理装置１の外観を示す模式図である。具体的には、図２は、情報処理装置１の正面図である。
タッチパネル２は、図２に示すように、略直方体状に形成された情報処理装置１の筐体の正面に取り付けられている。このタッチパネル２は、情報に基づく画像を表示する表示手段と、使用者の入力操作を受け付ける入力手段とを組み合わせた機能を有している。なお、入力手段は、マウスやキーボードなどであってもよい。
記憶手段３は、情報処理装置１に情報処理を実行させるためのプログラムを含む複数の情報を記憶するものであり、メモリ等によって構成されている。
【００１９】
制御手段４は、記憶手段３に記憶されたプログラムに従ってアプリケーションを実行するものであり、ＣＰＵ（Central Processing Unit）等によって構成されている。この制御手段４は、使用者の将来の夢や目標を明確にイメージし、それを実現するために、将来の夢や目標を達成すべき日時や、将来の夢や目標を達成するために使用者の成すべきタスクやＴｏＤｏなどの作業の予定を管理するアプリケーションを実行することができる。具体的には、制御手段４は、図１に示すように、画像情報選択部４１と、日時情報設定部４２と、作業情報設定部４３と、作業日時情報設定部４４と、検出部４５と、表示制御部４６とを備えている。
【００２０】
画像情報選択部４１は、タッチパネル２を介して使用者に選択された画像情報を記憶手段３に記憶させる。
日時情報設定部４２は、画像情報に関連付ける日時情報を、タッチパネル２を介して使用者に設定させるとともに、この日時情報を画像情報に関連付けて記憶手段３に記憶させる。
作業情報設定部４３は、画像情報に関連付ける作業情報を、タッチパネル２を介して使用者に設定させるとともに、この作業情報を画像情報に関連付けて記憶手段３に記憶させる。
【００２１】
作業日時情報設定部４４は、作業情報に関連付ける作業日時情報を、タッチパネル２を介して使用者に設定させるとともに、この作業日時情報を作業情報に関連付けて記憶手段３に記憶させる。
検出部４５は、画像情報に関連付けられた作業情報のうち、現在日時に最も近い未来の作業日時情報に関連付けられた作業情報を検出する。
表示制御部４６は、記憶手段３に記憶された情報に基づく画像をタッチパネル２に表示させる。
【００２２】
次に、制御手段４にて実行されるアプリケーションの動作について説明する。
制御手段４は、記憶手段３に記憶されたプログラムに従ってアプリケーションを実行すると、図２に示すように、メイン画面５を表示する。
メイン画面５は、主表示領域５１と、主表示領域５１の下部に重ね合わせるように表示されるメニュー５２と、主表示領域５１の上部に重ね合わせるように表示される画面名称５３とを主体として構成されている。
【００２３】
主表示領域５１は、コルクボード調の背景Ｂと、背景Ｂの中央部に張り付けられるようにして配置された３つの画像Ｇ１，Ｇ２，Ｇ３とを表示している。
メニュー５２は、アプリケーションを使用する際に選択することができる選択肢の一覧であり、５つの項目（紙面左側から「Ｄｒｅａｍ」、「Ｌｉｓｔ」、「Ｐｌａｎｎｉｎｇ」、「Ｎｅｘｔ  Ｓｔｅｐ」、「Ｓｅｔｔｉｎｇ」の順に配置されている。）によって構成されている。また、メニュー５２は、選択中の項目をハイライト表示する。例えば、図２は、「Ｄｒｅａｍ」を選択している状態を示す図であり、アプリケーションは、「Ｄｒｅａｍ」を選択している状態を初期状態として起動する。
なお、本実施形態では、「Ｄｒｅａｍ」および「Ｎｅｘｔ  Ｓｔｅｐ」の項目を選択した場合のアプリケーションの動作について主に説明し、その他の項目を選択した場合のアプリケーションの動作については説明を省略する。
【００２４】
画面名称５３は、メニュー５２を構成する５つの項目のうち、選択中の項目を表示する領域であり、選択中の項目によっては、使用者の入力操作を受け付けるためのボタンも併せて表示される。例えば、「Ｄｒｅａｍ」を選択している状態においては、編集を行うための「Ｅｄｉｔ」ボタン５３Ａが右側に表示されている。
【００２５】
図３は、制御手段４によって表示される夢編集画面を示す模式図である。
タッチパネル２を操作することによって、主表示領域５１の背景Ｂ（画像Ｇ１〜Ｇ３以外の領域）または「Ｅｄｉｔ」ボタン５３Ａを使用者がタッチすると、制御手段４は、図３に示すように、タッチパネル２に夢編集画面６を表示する。
夢編集画面６は、タッチパネル２の最上部に表示される画面名称６１と、画面名称６１の下方に表示される画像表示領域６２と、画像表示領域６２の下方に表示されるタイトル表示領域６３と、タイトル表示領域６３の下方に表示される日時表示領域６４とを主体として構成されている。
【００２６】
画面名称６１は、夢編集画面６を表示中であることを示す領域であり、使用者の入力操作を受け付けるためのボタンも併せて表示される。具体的には、夢編集画面６の内容を保存せずに夢編集画面６を終了するための「Ｃａｎｃｅｌ」ボタン６１Ａが左側に表示されている。また、夢編集画面６の内容を保存して夢編集画面６を終了するための「Ｓａｖｅ」ボタン６１Ｂが右側に表示されている。
【００２７】
画像表示領域６２は、使用者に画像情報を選択させるとともに、選択された画像情報に基づく画像を表示する領域である。具体的には、タッチパネル２を操作することによって、画像表示領域６２を使用者がタッチすると、画像情報選択部４１は、夢編集画面６とは異なる別のエディタ（図示略）を起動し、このエディタを介して記憶手段３に記憶された複数の画像情報の中から１つの画像情報を使用者に選択させる。そして、表示制御部４６は、画像情報選択部４１を介して選択された画像情報に基づく画像を画像表示領域６２に表示させる。
【００２８】
タイトル表示領域６３は、画像表示領域６２に表示された画像情報に関連付けるタイトル情報を使用者に入力させるとともに、入力されたタイトル情報に基づく画像を表示する領域である。具体的には、タッチパネル２を操作することによって、タイトル表示領域６３を使用者がタッチすると、制御手段４は、タイトル表示領域６３をテキスト入力可能とし、タイトル情報を使用者に入力させる。
【００２９】
日時表示領域６４は、画像情報に関連付ける日時情報を使用者に入力させるとともに、入力された日時情報に基づく画像を表示する領域である。具体的には、タッチパネル２を操作することによって、日時表示領域６４を使用者がタッチすると、日時情報設定部４２は、夢編集画面６とは異なる別のエディタ（図示略）を起動し、このエディタを介して日時情報を使用者に設定させる。そして、表示制御部４６は、日時情報設定部４２を介して設定された日時情報に基づく画像をタッチパネル２の日時表示領域６４に表示させる。
なお、日時情報は、現在時刻よりも先の未来の日時を設定することができるだけでなく、現在時刻よりも前の過去の日時を設定することができる。
【００３０】
画像情報選択部４１および日時情報設定部４２は、タッチパネル２を操作することによって、画面名称６１の「Ｓａｖｅ」ボタン６１Ｂを使用者がタッチすると、使用者に選択された画像情報を記憶手段３に記憶させるとともに、日時情報を画像情報に関連付けて記憶手段３に記憶させる。その後、夢編集画面６を終了すると、表示制御部４６は、図１に示すように、画像情報に基づく画像Ｇ１をメイン画面５に表示させる。画像Ｇ２，Ｇ３についても画像Ｇ１と同様に夢編集画面６を介して使用者に選択された画像情報に基づく画像である。
【００３１】
なお、表示制御部４６は、画像情報に基づく画像Ｇ１〜Ｇ３と重ね合わせるようにして日時情報に基づく画像をメイン画面５に表示させるように構成してもよい。
また、本実施形態では、使用者は、画像表示領域６２およびタイトル表示領域６３に表示されているように「素敵な家に住む」ことを将来の夢や目標とし、日時表示領域６４に表示されているように「２０１８年４月２０日」を将来の夢や目標を達成すべき日時としてスケジュールを作成している（図３参照）。
【００３２】
図４は、制御手段４によって表示されるタスクリスト画面を示す模式図である。
タッチパネル２を操作することによって、画像Ｇ１〜Ｇ３のいずれかを使用者がタッチすると、制御手段４は、図４に示すように、タッチパネル２にタスクリスト画面７を表示する。
タスクリスト画面７は、タッチパネル２の最上部に表示される画面名称７１と、画面名称７１の下方に表示される夢表示領域７２と、夢表示領域７２の下方に表示されるタスクリスト表示領域７３とを主体として構成されている。
【００３３】
画面名称７１は、タスクリスト画面７を表示中であることを示す領域であり、使用者の入力操作を受け付けるためのボタンも併せて表示される。具体的には、メイン画面５に戻るための「Ｄｒｅａｍ」ボタン７１Ａが左側に表示されている。また、タスクを追加するための「＋」ボタン７１Ｂと、編集を行うための「Ｅｄｉｔ」ボタン７１Ｃとが右側に表示されている。なお、「Ｅｄｉｔ」ボタン７１Ｃは、タスクを編集するためのモードに移行するためのボタンであり、タスクの内容を修正したり、タスクを削除したりすることができる。
【００３４】
夢表示領域７２は、夢編集画面６の画像表示領域６２、タイトル表示領域６３、および日時表示領域６４に表示される情報と同じ情報を表示する領域である。
タスクリスト表示領域７３は、将来の夢や目標を達成するために使用者の成すべきタスクやＴｏＤｏなどの作業の予定を表示する領域である。このタスクリスト表示領域７３は、タッチパネル２の中央に表示されるタスクタイトル表示領域７３Ａと、タスクタイトル表示領域７３Ａの右側に表示されるタスク日時表示領域７３Ｂと、タスクタイトル表示領域７３Ａの左側に表示されるチェックボックス７３Ｃとを主体として構成されている。
【００３５】
タスクタイトル表示領域７３Ａは、将来の夢や目標を達成するために使用者の成すべきタスクやＴｏＤｏなどの作業のタイトルを表示する領域である。
タスク日時表示領域７３Ｂは、将来の夢や目標を達成するために使用者の成すべきタスクやＴｏＤｏなどの作業を達成すべき日時を表示する領域である。
チェックボックス７３Ｃは、タッチパネル２を操作することによって、使用者がタッチすると、チェックマークを表示する領域である。使用者は、このチェックボックス７３Ｃの状態を参照することによって、将来の夢や目標を達成するために使用者の成すべきタスクやＴｏＤｏなどの作業を達成したかどうかを確認することができる。チェックボックス７３Ｃにチェックマークを表示させると、タスクタイトル表示領域７３Ａおよびタスク日時表示領域７３Ｂはグレーアウトする。
なお、チェックボックス７３Ｃにチェックマークを表示させたときに、特定の画像を表示したり、特定の音楽を流したりして、使用者が達成感を得られるようにしてもよい。
【００３６】
図５は、制御手段４によって表示されるタスク編集画面を示す模式図である。
タッチパネル２を操作することによって、「＋」ボタン７１Ｂまたはタスクリスト表示領域７３の空欄を使用者がタッチすると、制御手段４は、図５に示すように、タッチパネル２にタスク編集画面８を表示する。
なお、タスク編集画面８は、タッチパネル２を操作することによって、「Ｅｄｉｔ」ボタン７１Ｃを使用者がタッチした後、タスクタイトル表示領域７３Ａや、タスク日時表示領域７３Ｂなどを使用者がタッチすることによっても表示させることができる。
【００３７】
タスク編集画面８は、タッチパネル２の最上部に表示される画面名称８１と、画面名称８１の下方に表示される夢表示領域８２と、夢表示領域８２の下方に表示されるタスクタイトル表示領域８３と、タスクタイトル表示領域８３の下方に表示されるタスク日時表示領域８４とを主体として構成されている。
【００３８】
画面名称８１は、タスク編集画面８を表示中であることを示す領域であり、使用者の入力操作を受け付けるためのボタンも併せて表示される。具体的には、タスク編集画面８の内容を保存せずにタスク編集画面８を終了するための「Ｃａｎｃｅｌ」ボタン８１Ａが左側に表示されている。また、タスク編集画面８の内容を保存してタスク編集画面８を終了するための「Ｓａｖｅ」ボタン８１Ｂが右側に表示されている。
【００３９】
夢表示領域８２は、夢編集画面６の画像表示領域６２、タイトル表示領域６３、および日時表示領域６４に表示される情報と同じ情報を表示する領域である。
タスクタイトル表示領域８３は、夢表示領域８２に表示された画像情報に関連付ける作業情報としてのタスクタイトル情報を使用者に入力させるとともに、入力されたタスクタイトル情報に基づく画像を表示する領域である。具体的には、タッチパネル２を操作することによって、タスクタイトル表示領域８３を使用者がタッチすると、作業情報設定部４３は、タスクタイトル表示領域８３をテキスト入力可能とし、タスクタイトル情報を使用者に入力させる。そして、表示制御部４６は、作業情報設定部４３を介して入力されたタスクタイトル情報に基づく画像をタッチパネル２のタスクタイトル表示領域８３に表示させる。
【００４０】
タスク日時表示領域８４は、タスクタイトル情報に関連付ける作業日時情報としてのタスク日時情報を使用者に入力させるとともに、入力されたタスク日時情報に基づく画像を表示する領域である。具体的には、タッチパネル２を操作することによって、タスク日時表示領域８４を使用者がタッチすると、作業日時情報設定部４４は、タスク編集画面８とは異なる別のエディタ（図示略）を起動し、このエディタを介してタスク日時情報を使用者に設定させる。そして、表示制御部４６は、作業日時情報設定部４４を介して設定されたタスク日時情報に基づく画像をタッチパネル２のタスク日時表示領域８４に表示させる。
【００４１】
作業情報設定部４３および作業日時情報設定部４４は、タッチパネル２を操作することによって、画面名称８１の「Ｓａｖｅ」ボタン８１Ｂを使用者がタッチすると、使用者に設定されたタスクタイトル情報を画像情報に関連付けて記憶手段３に記憶させるとともに、タスク日時情報をタスクタイトル情報に関連付けて記憶手段３に記憶させる。その後、タスク編集画面８を終了すると、表示制御部４６は、図４に示すように、タスクタイトル情報およびタスク日時情報に基づく画像をタッチパネル２のタスクリスト表示領域７３に表示させる。
【００４２】
なお、本実施形態では、使用者は、タスクタイトル表示領域８３に表示されているように「情報収集」を将来の夢や目標を達成するために使用者の成すべき作業とし、タスク日時表示領域８４に表示されているように「２０１３年４月１５日」を将来の夢や目標を達成するために使用者の成すべき作業を達成すべき日時としてスケジュールを作成している。また、使用者は、タスクタイトル表示領域７３Ａおよびタスク日時表示領域７３Ｂに表示されているように、「情報収集」の他、「ローン計画」、「間取りプラン作成」、および「頭金５００万円貯める」をタスクタイトル情報およびタスク日時情報として設定している（図４参照）。
【００４３】
次に、「Ｎｅｘｔ  Ｓｔｅｐ」の項目を選択した場合のアプリケーションの動作について説明する。
タッチパネル２を操作することによって、メニュー５２の「Ｎｅｘｔ  Ｓｔｅｐ」を使用者がタッチすると（図２参照）、検出部４５は、画像情報に関連付けられたタスクタイトル情報のうち、現在日時に最も近い未来のタスク日時情報に関連付けられたタスクタイトル情報を検出する。そして、表示制御部４６は、検出部４５にて検出されたタスクタイトル情報に基づく画像を主表示領域５１に表示する。
【００４４】
図６は、制御手段４によって表示されるメイン画面５を示す模式図である。この図６では、メニュー５２は、「Ｎｅｘｔ  Ｓｔｅｐ」の項目をハイライト表示している。
例えば、画像Ｇ１に係る画像情報に関連付けられた４つのタスクタイトル情報のうち、現在日時に最も近い未来のタスク日時情報は、「２０１３年４月」である（図４参照）。したがって、このタスク日時情報に関連付けられたタスクタイトル情報は、「情報収集」となる。したがって、検出部４５は、画像Ｇ１に係る画像情報に関しては、「情報収集」を検出する。同様に、検出部４５は、画像Ｇ２に係る画像情報に関しては、「プレゼン成功」を検出し、画像Ｇ３に係る画像情報に関しては、「１０本潜る」を検出している。そして、表示制御部４６は、図６に示すように、検出部４５にて検出されたタスクタイトル情報に基づく画像を主表示領域５１に表示する。
【００４５】
このような本実施形態によれば、以下の作用・効果を奏することができる。
（１）情報処理装置１は、画像情報選択部４１と、日時情報設定部４２とを備えているので、使用者に選択された画像情報と、使用者に設定された日時情報とを関連付けて記憶手段３に記憶させることができる。したがって、使用者は、将来の夢や目標をイメージすることができる画像情報を選択し、この画像情報に関連付けて将来の夢や目標を達成すべき日時を設定することができる。そして、情報処理装置１は、記憶手段３に記憶された画像情報に基づく画像をタッチパネル２に表示させる表示制御部４６を備えているので、使用者は、画像を主体として構成されたスケジュールを作成することができる。したがって、本実施形態によれば、使用者は、画像を主体として構成されたスケジュールを参照することができるので、将来の夢や目標を明確にイメージしやすく、将来の夢や目標を適切に管理することができる。
【００４６】
（２）情報処理装置１は、作業情報設定部４３を備えているので、使用者に選択された画像情報と、使用者に設定されたタスクタイトル情報とを関連付けて記憶手段３に記憶させることができる。したがって、使用者は、将来の夢や目標をイメージすることができる画像情報を選択し、この画像情報に関連付けて将来の夢や目標を達成するために自身の成すべきタスクやＴｏＤｏなどの作業の予定を設定することができる。そして、情報処理装置１は、タスクタイトル情報に基づく画像をタッチパネル２に表示させる表示制御部４６を備えているので、使用者は、画像情報に関連付けられた作業の予定を容易に確認することができる。したがって、本実施形態によれば、将来の夢や目標を更に適切に管理することができる。
【００４７】
（３）情報処理装置１は、作業日時情報設定部４４を備えているので、使用者に設定されたタスクタイトル情報と、使用者に設定されたタスク日時情報とを関連付けて記憶手段３に記憶させることができる。また、情報処理装置１は、検出部４５を備えているので、画像情報に関連付けられたタスクタイトル情報のうち、現在日時に最も近い未来のタスク日時情報に関連付けられたタスクタイトル情報を検出することができる。そして、情報処理装置１は、検出部４５にて検出されたタスクタイトル情報に基づく画像をタッチパネル２に表示させる表示制御部４６を備えているので、使用者は、将来の夢や目標を達成するために自身の成すべきタスクやＴｏＤｏなどの作業の予定のうち、次に何を成すべきかを容易に把握することができる。したがって、本実施形態によれば、将来の夢や目標を更に適切に管理することができる。
【００４８】
（４）情報処理装置１は、日時情報に基づく画像をタッチパネル２に表示させる表示制御部４６を備えているので、将来の夢や目標を明確にイメージしやすく、将来の夢や目標を更に適切に管理することができる。
【００４９】
なお、本考案は前記実施形態に限定されるものではなく、本考案の目的を達成できる範囲での変形、改良等は本考案に含まれるものである。
例えば、前記実施形態では、情報処理装置１は、将来の夢や目標を達成するために自身の成すべき作業の予定をタスクとし、タスクタイトル情報およびタスク日時情報を画像情報に関連付けて記憶手段３に記憶させていた。これに対して、例えば、タスクを達成するために自身の成すべき作業の予定をＴｏＤｏとし、このＴｏＤｏに係る情報を画像情報に関連付けて記憶手段に記憶させることによって、タスクを更に細分化するように情報処理装置を構成してもよい。
【産業上の利用可能性】
【００５０】
以上のように、本考案は、情報処理装置に広く適用できる。
【符号の説明】
【００５１】
１      情報処理装置
２      タッチパネル（表示手段および入力手段）
３      記憶手段
４      制御手段
５      メイン画面
６      夢編集画面
７      タスクリスト画面
８      タスク編集画面
４１    画像情報選択部
４２    日時情報設定部
４３    作業情報設定部
４４    作業日時情報設定部
４５    検出部
４６    表示制御部
【図１】
0003184157.tif 000003
【図２】
0003184157.tif 000004
【図３】
0003184157.tif 000005
【図４】
0003184157.tif 000006
【図５】
0003184157.tif 000007
【図６】
0003184157.tif 000008